(57)【特許請求の範囲】
【請求項１】
外部と非接触で交信してデータの記憶および更新を行うためのアンテナとＩＣをカード本体に備える非接触ＩＣカードにおいて、
磁気データを記録する磁気媒体層と、
前記磁気媒体層上であって前記アンテナとＩＣに影響を与えない領域に形成され、前記磁気媒体層に記録される磁気データに応じて目視データを表示可能な表示領域と、を有し、
前記磁気媒体層に記録される磁気データは前記磁気媒体層の一方側面のみから書き込み及び読み出し可能とし、
前記磁気媒体層が、少なくとも前記カード本体の表面および裏面を判別可能にする方向判別データに対応する磁気データを記録する方向判別データ用記録領域を有し、該方向判別データ用記録領域を、前記表示領域に表示される目視データに対応する磁気データを記録する目視データ用記録領域のカード本体長手方向側端部に形成したことを特徴とする非接触ＩＣカード。
【請求項２】
前記磁気媒体層が、前記方向判別データ用記録領域とは異なる領域に、前記表示領域に表示される目視データに対応する磁気データを記録する前記目視データ用記録領域を有することを特徴とする請求項１に記載の非接触ＩＣカード。
【請求項３】
前記方向判別データが、前記カード本体の方向も判別可能とすることを特徴とする請求項１または２に記載の非接触ＩＣカード。
【請求項４】
前記アンテナとＩＣは、前記カード本体内又は前記磁気媒体層側と反対側のカード本体面に設ける構成である請求項１〜３のいずれか１つに記載の非接触ＩＣカード。
【請求項５】
前記表示領域を、カードの周囲部に形成する請求項１〜４のいずれか１つに記載の非接触ＩＣカード。
【請求項６】
外部と非接触で交信してデータの記憶および更新を行うためのアンテナとＩＣを備え、磁気データを記録する磁気媒体層と、前記磁気媒体層上に形成され、前記磁気媒体層に記録される磁気データに応じて目視データを表示可能な表示領域とを有し、前記磁気媒体層に記録される磁気データは前記磁気媒体層の一方側面のみから読み出し及び書き込み可能である非接触ＩＣカードを処理対象とし、
搬送経路に沿って搬送する搬送手段と、
前記搬送経路上の非接触ＩＣカードに対して、前記表示領域に対応する前記磁気媒体層の磁気データに応じて前記表示領域に目視データの表示処理を行う目視データ処理手段と、を有する非接触ＩＣカード処理装置において、
前記磁気媒体層に記録される少なくとも表面および裏面を判別可能にする方向判別データに対応する磁気データを記録する方向判別データ用記録領域と前記目視データに対応する磁気データを記録する目視データ用記録領域とが前記非接触ＩＣカードの搬送経路に沿った同一領域内にあるとき、
前記方向判別データ用記録領域の磁気データに基づいて、前記非接触ＩＣカードの表面および裏面を判別して、前記非接触ＩＣカードが前記目視データ処理手段に対して正しい搬送状態にあるか否かを判断するカード方向判別手段を、前記目視データ処理手段が兼用する構成とし、前記目視データ処理手段が、前記方向判別データ用記録領域に対する磁気データの読み出し及び書き込み処理機能を備えると共に前記目視データ用記録領域の磁気データを消去する消去用磁気ヘッドと前記目視データ用記録領域に磁気データを記録する記録用磁気ヘッドを備え、正しい搬送状態にあると判断した非接触ＩＣカードに対してのみ前記消去用磁気ヘッドで磁気データを消去した後に前記記録用磁気ヘッドで新たな磁気データを記録する目視データ表示処理を行う構成としたことを特徴とする非接触ＩＣカード処理装置。
【請求項７】
前記目視データ処理手段は、前記方向判別データ用記録領域に記録される前記非接触ＩＣカードの少なくとも表面および裏面を判別可能にする方向判別データに対応する磁気データを前記消去用磁気ヘッドで検出し、該消去用磁気ヘッドで方向判別データに対応する磁気データが検出されたときに前記非接触ＩＣカードが正しい状態で搬送されていると判断し、前記方向判別データに対応する磁気データが検出されないときに前記非接触ＩＣカードが誤った状態で搬送されていると判断することを特徴とする請求項６に記載の非接触ＩＣカード処理装置。
【請求項８】
前記磁気媒体層は情報データに対応する磁気データをさらに記録し、前記磁気媒体層に対して前記情報データに対応する磁気データの処理を行う情報データ処理手段を含むことを特徴とする請求項６または７に記載の非接触ＩＣカード処理装置。
【請求項９】
前記搬送経路上の非接触ＩＣカードに対して、前記ＩＣに記憶された記憶データの処理を非接触で行う記憶データ処理手段を備え、前記目視データ処理手段が、前記記憶データ処理手段で処理された記憶データに応じて目視データの表示処理を行う構成としたことを特徴とする請求項６〜８のいずれか１つに記載の非接触ＩＣカード処理装置。
【請求項１０】
前記搬送手段によって搬送される前記非接触ＩＣカードを回収するカード回収手段を備えて構成されたことを特徴とする請求項６〜９のいずれか１つに記載の非接触ＩＣカード処理装置。
【請求項１１】
発行前の非接触ＩＣカードを前記搬送手段に供給するカード供給手段を備えて構成されたことを特徴とする請求項６〜１０のいずれか１つに記載の非接触ＩＣカード処理装置。
【発明の詳細な説明】
【０００１】
【発明の属する技術分野】
本発明は、目視データの表示機能を備え、データの記憶および更新を非接触で行うことが可能な情報記憶媒体としての非接触ＩＣカード、および該非接触ＩＣカードの目視データの表示処理を確実に行うことができる非接触ＩＣカード処理装置に関する。
【０００２】
【従来の技術】
非接触ＩＣカードは、処理可能なデータ量が多く、データ処理が確実で安全性に優れている。また、記憶データの読み取りおよび書き込み処理（以下、Ｒ／Ｗ処理とする）の際に、処理装置のアンテナ等に接触させる必要がないため長寿命である。このことから、非接触ＩＣカードは、例えば、パーキングカード、ポイントカード、定期券、入場券などの各種情報記憶媒体として様々な情報システムに適用されており、特に、発行、更新および回収を繰り返し行ってカードをリサイクルするシステムに適している。
【０００３】
上記のような非接触ＩＣカードに対して、記憶データのＲ／Ｗ処理を行う場合には、例えば、リーダライタ等の非接触ＩＣカード処理装置が一般に利用される。
【０００４】
図１０は、従来の非接触ＩＣカード用リーダライタの基本構成を示す図である。
従来のリーダライタでは、例えば、非接触ＩＣカードとの交信を行うアンテナ部が本体の上部等に設けられ、非接触ＩＣカードがアンテナ部付近にかざされることにより、非接触ＩＣカードとアンテナ部との間で信号が交信されて記憶データのＲ／Ｗ処理が行われる。このようなリーダライタを、ここでは「かざし型」のリーダライタと呼ぶことにする。
【０００５】
また、一般に利用されている非接触ＩＣカードには、記憶データ等に対応した目視データがカード表面などに表示されるものも知られている。
このような非接触ＩＣカードに対して目視データの表示処理を行う場合、従来では、上記「かざし型」のリーダライタとは別に用意した目視データ処理装置を利用したり、手書き、スタンプ、シール等にて目視データを表示したり、プリンタ等で別の用紙等にポイントの加減算情報、課金データ情報、決済情報等を印刷して発行したりしてきた。
【０００６】
そこで、本出願人は、熱可逆性の感熱層から成る目視データの表示部を備える非接触ＩＣカードに対して１つの処理装置内で記憶データおよび目視データの各処理を行うように、非接触ＩＣカードの搬送経路に沿って、記憶データのＲ／Ｗ処理を行うＲ／Ｗ処理部と目視データの表示処理を行う印字処理部とを配置し、搬送される非接触ＩＣカードに対して記憶データおよび目視データの各処理を連続して行う非接触ＩＣカード処理装置を提案している（特願平１０−３７４１６１号参照）。
【０００７】
一方、目視データの表示機能を備えたカードとして、磁気媒体層と可透視層間に磁性粒子が封入され、磁気媒体層の磁気による磁性粒子の配列状態を透視可能とした可視磁気カードが特開平７−２９０８６８号公報に開示されている。具体的には、磁性粒子等を磁気により所望の形状とした表示部をカード表面に設けたもの（商品例「ＶＩＳＭＡＣ」；日本信号社製）が実用化されている。
【０００８】
このような磁気式のカードに対して目視データの表示処理を行う目視データ処理装置は、例えば、表示部を磁化して目視データを表示させる要素部品と、表示された目視データを消去するための要素部品とを備え、目視データの表示だけでなくその書き替えも可能であった。
【０００９】
【発明が解決しようとする課題】
ところで、上述した従来の非接触ＩＣカードおよび磁気カードの目視データ表示処理に関しては、カードの表面または裏面の特定位置に表示部を備えることが多いため、処理装置内での非接触ＩＣカードの搬送状態を規定する必要がある。すなわち、搬送される非接触ＩＣカードの処理面（表裏面）およびその処理方向（前後方向）が正確でないと、正規の表示処理を行うことができず、カードの記憶データと目視データとが不一致になったり、あるいは、見づらい情報表示になるおそれがある。
【００１０】
しかしながら、上述したような従来の目視データの表示処理は、カードの搬送状態を検出する機能を備えていないため、カードに対して目視データの表示処理を正確に行うことが難しかった。たとえ記憶データおよび目視データの各処理を１つの装置内で行う構成であっても、任意の状態で挿入されたカードから読み取った記憶データだけでは、その搬送状態を判別することは困難であり、表示された目視データの書き替えが正しく行われず、表示された目視データの内容と記憶データの内容とに食い違いが生じる問題が発生するおそれがある。
【００１１】
一方、磁気カードを使用する装置と非接触ＩＣカードを使用する装置とが混在するシステムの運用を実現する場合には、磁気カードのデータ処理装置と非接触ＩＣカードのデータ処理装置との双方が必要であり、例えば、図１１に示すように、データ変換装置２００に磁気カード処理装置４００および非接触ＩＣカード処理装置３００を接続したシステムとなる。ここで、磁気カード４０１の記録データを非接触ＩＣカード３０１に記憶させる場合には、磁気カード処理装置４００に挿入された磁気カード４０１の記録データを読み出してデータ変換装置２００に送信する。データ変換装置２００で磁気カード４０１の記録データをデータ変換し、非接触ＩＣカード処理装置３００に送信して、非接触ＩＣカード３００に挿入された非接触ＩＣカード３００に記憶させる。このように、磁気カード処理装置と非接触ＩＣカード処理装置とを混在させると、複雑で、コストのかかるシステムとなる。
【００１２】
本発明は上記の点に着目してなされたもので、目視データの表示機能を備えた非接触ＩＣカードについて、表裏面およびその方向を判別可能とし、かつ、目視データの表示処理をより簡易に行うことができる非接触ＩＣカード、および該非接触ＩＣカードに対して目視データの表示処理を正確に行うことができる非接触ＩＣカード処理装置を提供することを目的とする。
【００１３】
【課題を解決するための手段】
上記の目的を達成するため、本発明の非接触ＩＣカードは、外部と非接触で交信してデータの記憶および更新を行うためのアンテナとＩＣをカード本体に備える非接触ＩＣカードにおいて、磁気データを記録する磁気媒体層と、前記磁気媒体層上であって前記アンテナとＩＣに影響を与えない領域に形成され、前記磁気媒体層に記録される磁気データに応じて目視データを表示可能な表示領域と、を有し、前記磁気媒体層に記録される磁気データは前記磁気媒体層の一方側面のみから書き込み及び読み出し可能とし、前記磁気媒体層が、少なくとも前記カード本体の表面および裏面を判別可能にする方向判別データに対応する磁気データを記録する方向判別データ用記録領域を有し、該方向判別データ用記録領域を、前記磁気媒体層に形成されて前記表示領域に表示される目視データに対応する磁気データを記録する目視データ用記録領域のカード本体長手方向側端部に形成したことを特徴とするものである。
【００１４】
かかる構成によれば、非接触ＩＣカードで磁気式の目視データを表示可能とする。また、磁気媒体層に基づいて、非接触ＩＣカードが表面を向いているか裏面を向いているかを区別することが可能となる。これにより、例えば、表示領域に対する目視データの表示処理を行う外部装置等において、非接触ＩＣカードの磁気媒体層が検出されたか否かを基に、非接触ＩＣカードの挿入状態を判別できるようになり、目視データの正確な表示処理が実現されるようになる。
【００１７】
また、前記磁気媒体層が、前記方向判別データ用記録領域とは異なる領域に、前記表示領域に表示される目視データに対応する磁気データを記録する目視データ用記録領域を有するようにしてもよい。
また、前記アンテナとＩＣは、前記カード本体内又は前記磁気媒体層側と反対側のカード本体表面に設ける構成としてもよい。
また、前記表示領域を、カードの周囲部に形成してもよい。
【００１８】
本発明の非接触ＩＣカード処理装置は、外部と非接触で交信してデータの記憶および更新を行うためのアンテナとＩＣを備え、磁気データを記録する磁気媒体層と、前記磁気媒体層上に形成され、前記磁気媒体層に記録される磁気データに応じて目視データを表示可能な表示領域とを有し、前記磁気媒体層に記録される磁気データは前記磁気媒体層の一方側面のみから読み出し及び書き込み可能である非接触ＩＣカードを処理対象とし、搬送経路に沿って搬送する搬送手段と、前記搬送経路上の非接触ＩＣカードに対して、前記表示領域に対応する前記磁気媒体層の磁気データに応じて前記表示領域に目視データの表示処理を行う目視データ処理手段と、を有する非接触ＩＣカード処理装置において、前記磁気媒体層に記録される少なくとも表面および裏面を判別可能にする方向判別データに対応する磁気データを記録する方向判別データ用記録領域と前記目視データに対応する磁気データを記録する目視データ用記録領域とが前記非接触ＩＣカードの搬送経路に沿った同一領域内にあるとき、前記方向判別データ用記録領域の磁気データに基づいて、前記非接触ＩＣカードの表面および裏面を判別して、前記非接触ＩＣカードが前記目視データ処理手段に対して正しい搬送状態にあるか否かを判断するカード方向判別手段を、前記目視データ処理手段が兼用する構成とし、前記目視データ処理手段が、前記方向判別データ用記録領域に対する磁気データの読み出し及び書き込み処理機能を備えると共に前記目視データ用記録領域の磁気データを消去する消去用磁気ヘッドと前記目視データ用記録領域に磁気データを記録する記録用磁気ヘッドを備え、正しい搬送状態にあると判断した非接触ＩＣカードに対してのみ前記消去用磁気ヘッドで磁気データを消去した後に前記記録用磁気ヘッドで新たな磁気データを記録する目視データ表示処理を行う構成とする。
【００１９】
かかる構成によれば、本装置内を搬送手段によって搬送される非接触ＩＣカードの磁気媒体層に基づいて、目視データ処理手段によってその表裏面に関する搬送状態が判別され、正しい搬送状態にある非接触ＩＣカードに対してのみ、目視データの表示処理が実施される。これにより、非接触ＩＣカードの表示部に対する目視データの表示処理が正確に行われるようになる。また、カード方向判別手段と目視データ処理手段とを兼用することで、装置構成を簡素化し、コストを削減できる。
【００２０】
ここで、前記目視データ処理手段は、前記方向判別データ用記録領域に記録される前記非接触ＩＣカードの少なくとも表面および裏面を判別可能にする方向判別データに対応する磁気データを前記消去用磁気ヘッドで検出し、該消去用磁気ヘッドで前記方向判別データに対応する磁気データが検出されたときに前記非接触ＩＣカードが正しい状態で搬送されていると判断し、前記方向判別データに対応する磁気データが検出されないときに前記非接触ＩＣカードが誤った状態で搬送されていると判断する。
【００２２】
あるいは、前記磁気媒体層は情報データに対応する磁気データをさらに記録し、前記磁気媒体層に対して前記情報データに対応する磁気データの処理を行う情報データ処理手段を含むものとしてもよい。
【００２４】
また、前記搬送経路上の非接触ＩＣカードに対して、前記ＩＣに記憶された記憶データの処理を非接触で行う記憶データ処理手段を備え、前記目視データ処理手段が、前記記憶データ処理手段で処理された記憶データに応じて目視データの表示処理を行う構成としてもよい。
【００２５】
かかる構成によれば、非接触ＩＣカードに対する記憶データ処理および目視データ処理が１つの装置内で行われ、記憶データに対応した目視データの表示処理が確実に行われるようになる。
【００２６】
さらに、前記搬送手段によって搬送される前記非接触ＩＣカードを回収するカード回収手段を備えて構成されるようにしたり、発行前の非接触ＩＣカードを前記搬送手段に供給するカード供給手段を備えて構成されるようにしてもよい。
【００２７】
このようにカード供給手段を設けることで、非接触ＩＣカードの発行処理が自動的に行われるようになり、カード回収手段を設けることで、使用できなくなった非接触ＩＣカードが自動的に回収されるようになる。
【００２８】
【発明の実施の形態】
以下、本発明の実施形態を図面に基づいて説明する。
図１は、本発明にかかる非接触ＩＣカードの一実施形態の断面図を示し、図２は、本実施形態の分解斜視図を示す。
【００２９】
本実施形態の非接触ＩＣカード１は、内部の磁気状態に応じた磁気データを記録する磁気媒体層１３と、ＩＣカードシート５と、透明フィルム３とを備え、磁気媒体層１３とＩＣカードシート５とが接着剤層６で接着され、ＩＣカードシート５と透明フィルム３とが接着剤層４で接着されて一体に構成される。
【００３０】
磁気媒体層１３は、ベースフィルム８の下方側面に磁気層９が設けられ、上方側面に磁気層７が設けられて構成される。また、磁気層９のベースフィルム８と対向する側面には保護膜１０が全面に密着形成されている。なお、磁気層７上面には、後述する目視データを浮かび上がらせるために、白またはシルバー色の極めて薄い印刷層１４が形成されている。
【００３１】
ＩＣカードシート５は、外部と非接触で交信してデータの記憶および更新を行う、導電フィルム等の導電体から成るアンテナ１６とＩＣ（図示せず）を備えるカード本体に相当するものであり、穴部１５を備える。穴部１５はＩＣカードシート５の略中央に設けられ、アンテナ１６は穴部１５の周囲を回周するように設けられている。なお、アンテナ部１６は、外部からの信号を受信可能な形状および位置に形成されればよく、穴部１５の周囲を回周する形状に限定されるものではない。
【００３２】
透明フィルム３はＰＥＴ（ポリエチレン・テレフタレート）等から成り、その上面には、穴部１５に対応する全部または一部の領域を除いて、データが印刷された表面印刷層２が密着形成されている。表面印刷層２が形成されていない穴部１５に対応する全部または一部の領域は、窓部１２となる。該窓部１２の領域は、後述する目視データの表示可能な表示領域に相当するものである。なお、透明フィルム３は透明に限定されることなく、透視可能であるならば、不透明または着色されていてもよい。
【００３３】
上述した構成の非接触ＩＣカード１には、印刷層１４、透明フィルム３およびＩＣカードシート５の穴部１５によって囲まれた部分に空間部１７が形成される。本実施形態では、窓部１２および穴部１５を透明フィルム３およびＩＣカードシート５の中央部に形成して、空間部１７を非接触ＩＣカード１の中央部に形成しているが、空間部１７は、ＩＣカードシート５に備えられるＩＣおよびアンテナ１６に影響しない領域に形成すればよく、例えば、非接触ＩＣカード１の周囲部に形成するようにしてもよい。
【００３４】
該空間部１７内には磁性粒子１１が移動自在に封入されている。また、磁性粒子１１の代わりに、磁性粒子を分散させた液体を封入してもよい。該磁性粒子１１は、磁気層７，９の磁気状態、具体的には、磁気層７，９からの漏れ磁束に応じて駆動されることで配列状態が変化される。これにより、磁気データが記録され、該磁気データの記録状態がＩＣカードシート５および透明フィルム３を介して目視データとして表示される。磁気媒体層１３に記録される磁気データは、前記磁気媒体層１３の一方側面である磁気層９のみから読み出しおよび書き込みが可能である。
【００３５】
磁気媒体層１３は、非接触ＩＣカード１の表面および裏面、並びにその方向を判別可能にする方向判別データに対応する磁気データを記録する方向判別データ用記録領域と、前記目視データに対応する磁気データを記録する目視データ用記録領域と、その他の情報データを記録する情報データ用記録領域と、を有する。
【００３６】
図３は、本実施形態にかかる非接触ＩＣカードに記録される各磁気データ用記録領域の一例を示す上面図である。
図３に示す非接触ＩＣカード１では、窓部１２が、非接触ＩＣカード１の略中央に、非接触ＩＣカード１の長手方向に沿った矩形領域として形成されている。磁気媒体層１３には、窓部１２に対応するように目視データ用記録領域２０が設けられ、該目視データ用記録領域２０に磁気データが記録されることで目視データが表示される。なお、図３では、窓部１２の領域の大きさと目視データ用記録領域２０の領域の大きさとが等しい場合を示している。
【００３７】
また、磁気媒体層１３は、情報データ用記録領域２１および方向判別データ用記録領域２２，２３を有する。情報データ用記録領域２１は、該目視データ用記録領域２０と非接触ＩＣカード１の一方の長辺との間に、目視データ用記録領域２０と平行な矩形領域として形成される。方向判別データ用記録領域２２，２３は、目視データ用記録領域２０の両端部分に続けてカード長手方向に形成されている。
【００３８】
本実施形態の非接触ＩＣカードによれば、磁気媒体層を備え、従来の非接触ＩＣカードを構成するＩＣチップおよびアンテナに影響しない領域に磁性粒子１１を封入して目視データを表示させているので、非接触による記憶データ処理に影響を及ぼさないで、磁気式の目視データの表示および書き換えが可能な非接触ＩＣカードを簡易な構成で実現できる。また、目視データの表示処理を磁気を用いて行うので、目視データの処理時間をより短縮することができる。これにより、非接触ＩＣカードの利用者に対して、使用状況や記録されるデータ内容等を有効な目視データとして簡易かつ短時間で表示し提供することが可能となる。
【００３９】
次に、本発明にかかる非接触ＩＣカード処理装置の実施形態について説明する。
図４は、第１実施形態にかかる非接触ＩＣカード処理装置１００の構成の側方断面図であり、図５は、本第１実施形態の情報データに対応する磁気データ用磁気ヘッドの構成の側方断面図である。なお、本第１実施形態に用いられる非接触ＩＣカード１の各データ用記録領域は、図３に示すものとして説明する。
【００４０】
本第１実施形態は、搬送手段としての搬送部３０と、非接触ＩＣカード１の記憶データ処理手段としてのＲ／Ｗ処理部４０と、目視データ処理手段としての目視データ処理部５０と、情報データ処理手段としての情報データ処理部７０と、を備える。
【００４１】
搬送部３０は、複数の搬送ローラ３１ａ〜３１ｄと、搬送ローラ３１ａ〜３１ｄに巻架された搬送ベルト３２と、搬送面Ｐを挟んで各搬送ローラ３１ａ〜３１ｄに対向させて配置された押圧ローラ３３ａ〜３３ｄと、搬送される非接触ＩＣカード１の位置を検出する位置検出用センサ３４ａ〜３４ｄと、搬送ローラ３１ａ〜３１ｄを回転させて搬送ベルト３２を駆動するモータ及びその制御回路（図示せず）を備えたモータ部３６と、から構成される。
【００４２】
搬送ベルト１２は、１本の無端平ベルト等が各搬送ローラ３１ａ〜３１ｄに巻架され、図で上側に位置する部分の上面が非接触ＩＣカード１の搬送面Ｐとなって、本装置の長手方向に連続する搬送経路を形成する。搬送ローラ３１ａ〜３１ｄの少なくとも１つは、図示しない減速機構を介して伝達されるモータ部３６からの駆動力により回転し、この搬送ローラの回転によって搬送ベルト３２が移動する。
【００４３】
各押圧ローラ３３ａ〜３３ｄは、搬送ベルト３２を挟んだ各搬送ローラ３１ａ〜３１ｄに対向する位置にそれぞれ配置され、搬送ベルト３２の搬送面Ｐに圧接している。ここでは、各押圧ローラ３３ａ〜３３ｄが、１つの支持ブロック３５に取り付けられ、該支持ブロック３５がばね３３Ａ，３３Ｂ等によって所要の圧力で搬送面Ｐの方向に押圧されている。
【００４４】
各位置検出用センサ３４ａ〜３４ｄは、例えば透過型のフォトセンサ等が搬送経路に沿った所定の位置に配置され、搬送される非接触ＩＣカード１の通過を検出する。ここでは、位置検出用センサ３４ａがカード挿入・返却口４１ａの近傍に設けられ、カード挿入・返却口４１ａから出し入れされる非接触ＩＣカード１を検出するものとする。また、位置検出用センサ３４ｂ，３４ｃが、目視データ処理部５０の近傍に設けられ、非接触ＩＣカード１の目視データ用記録領域２０に対応する目視データ表示領域の目視データの消去・記録が正確に実行されるように、非接触ＩＣカード１の位置を検出する。さらに、位置検出用センサ３４ｄがＲ／Ｗ処理部４０の近傍に設けられ、非接触ＩＣカード１を検出するものとする。各位置検出用センサ３４ａ〜３４ｄの検出結果は、モータ部３６や目視データ処理部５０等に送られる。
【００４５】
モータ部３６は、各位置検出用センサ３４ａ〜３４ｄからの検出結果に従って、モータの駆動状態が制御回路によって制御され、搬送ベルト３２の駆動・停止および搬送方向の切り替えが制御される。
【００４６】
Ｒ／Ｗ処理部４０は、図示しないが、非接触ＩＣカード１と交信するアンテナと、該アンテナを介して送受信される信号を制御するコントローラとを備え、ここでは、モータ部３６後方の搬送面Ｐ下方に配置されるものとする。このＲ／Ｗ処理部４０は、上方の搬送面Ｐまで処理可能領域（アンテナの通信可能エリア）が広がっていて、その領域内を搬送される非接触ＩＣカード１に対して非接触で信号の送受信を行う。具体的には、処理可能領域内の非接触ＩＣカード１から発信される信号をアンテナで受信し、該受信信号をコントローラで処理して非接触ＩＣカード１の記憶データを読み取るとともに、非接触ＩＣカード１にデータを書き込むための信号をコントローラで生成し、該信号をアンテナから外部に発信する。そして、アンテナからの送信信号が非接触ＩＣカード１で受信されることで、非接触ＩＣカード１へのデータに書き込みが行われる。
【００４７】
目視データ処理部５０は、非接触ＩＣカード１の磁気媒体層１３の目視データ用記録領域２０を磁気化して目視データを表示させる目視データ記録用磁気ヘッド５１ａと、表示された目視データを消去する目視データ消去用磁気ヘッド５１ｂと、各加圧ローラ５２ａ，５２ｂと、から構成される。目視データ記録用磁気ヘッド５１ａおよび目視データ消去用磁気ヘッド５１ｂは、非接触ＩＣカード１の磁気媒体層１３の磁気層９に接するように、搬送面Ｐの下側に備えられている。目視データ記録用磁気ヘッド５１ａおよび目視データ消去用磁気ヘッド５１ｂを確実に接触させるための各加圧ローラ５２ａ，５２ｂは、目視データ記録用磁気ヘッド５１ａおよび目視データ消去用磁気ヘッド５１ｂに対向する位置にそれぞれ配置され、ばね５３ａ，５３ｂ等によって所定圧力で、目視データ記録用磁気ヘッド５１ａおよび目視データ消去用磁気ヘッド５１ｂに対して押圧されている。
【００４８】
非接触ＩＣカード１は、モータ部３６からの駆動力が減速機構（図示せず）を介して伝達されて、搬送ベルト３２と同じ速度で搬送される。位置検出用センサ３４ｂ，３４ｃの検出結果に基づいて、目視データ処理部５０の近くに搬送された非接触ＩＣカード１に対して目視データ処理を行う場合には、非接触ＩＣカード１の磁気媒体層１３に目視データ消去用磁気ヘッド５１ｂおよび目視データ記録用磁気ヘッド５１ａの先端部分が順次圧接する。目視データ消去用磁気ヘッド５１ｂが目視データ用記録領域の磁気データを消去し、目視データ記録用磁気ヘッド５１ａが新たな磁気データを記録することにより、目視データの表示処理が行われる。
【００４９】
図３に示した非接触ＩＣカード１の方向判別データ用記録領域２２，２３は、目視データ用記録領域２０と同じ幅で、非接触ＩＣカード１の長手方向に沿って形成されている。従って、目視データ消去用磁気ヘッド５１ｂを磁気データ処理（読み出し／書き込み処理）機能を併せ備えるものとすれば、目視データ用記録領域２０以外の方向判別データ用記録領域２２，２３に磁気データを記録して読み出すことが可能となる。これにより、目視データ処理部５０を、非接触ＩＣカード１が目視データ処理部５０に対して正しい搬送状態にあるか否かを判断するカード方向判別部として兼用することができる。
【００５０】
情報データ処理部７０は、例えば、図５に示すように、非接触ＩＣカード１の情報データ用記録領域２１を磁気化してデータを記録させる情報データ記録用磁気ヘッド７１ａと、記録された情報データを消去する情報データ消去用磁気ヘッド７１ｂと、各加圧ローラ７２ａ，７２ｂと、を備えて構成される。図３に示した非接触ＩＣカード１の情報データ用記録領域２１は、目視データ用記録領域２０と所定間隔だけ離れた位置に、非接触ＩＣカード１の長手方向に沿って形成されている。従って、該情報データ記録用磁気ヘッド７１ａおよび情報データ消去用磁気ヘッド７１ｂは、目視データ記録用磁気ヘッド５１ａおよび目視データ消去用磁気ヘッド５１ｂと所定間隔だけ離れた位置に、目視データ記録用磁気ヘッド５１ａおよび目視データ消去用磁気ヘッド５１ｂとそれぞれ平行して配置される。情報データ記録用磁気ヘッド７１ａおよび情報データ消去用磁気ヘッド７１ｂも、目視データ記録用磁気ヘッド５１ａおよび目視データ消去用磁気ヘッド５１ｂと同様に、非接触ＩＣカード１の磁気媒体層１３の磁気層９に接するように、搬送面Ｐの下側に備えられている。情報データ記録用磁気ヘッド７１ａおよび情報データ消去用磁気ヘッド７１ｂを確実に接触させるための各加圧ローラ７２ａ，７２ｂは、情報データ記録用磁気ヘッド７１ａおよび情報データ消去用磁気ヘッド７１ｂに対向する位置にそれぞれ配置され、ばね７３ａ，７３ｂ等によって所定圧力で、情報データ記録用磁気ヘッド７１ａおよび情報データ消去用磁気ヘッド７１ｂに対して押圧されている。非接触ＩＣカード１に対して情報データ処理を行う場合には、非接触ＩＣカード１の磁気媒体層１３に情報データ消去用磁気ヘッド７１ｂおよび情報データ記録用磁気ヘッド７１ａの先端部分を順次圧接させて情報データ用記録領域の磁気データを消去し、新たな磁気データを記録する。
【００５１】
次に、本第１実施形態の処理動作を説明する。
ここでは、図６に示すように、非接触ＩＣカード１がカード挿入・返却口４１ａに挿入されてから、カード方向判別処理、記憶データのＲ／Ｗ処理及び目視データの表示処理が行われた後に、再びカード挿入・返却口４１ａから返却されるまでの一連の動作について説明する。このような処理が行われる具体例としては、ポイントカード処理や手挿入によるカード発行処理などがある。
【００５２】
まず、非接触ＩＣカード１がカード挿入・返却口４１ａから挿入されると、位置検出用センサ３４ａが挿入された非接触ＩＣカード１を検出し、その検出結果がモータ部１６に送られる。モータ部１６は、位置検出用センサ３４ａの検出結果を受けて、搬送ベルト３２が非接触ＩＣカード１を装置内部に引き込む方向に移動するように、駆動・回転する。このモータの駆動力が減速機構を介して搬送ローラ３１ａ〜３１ｄに伝達されて搬送ベルト３２の移動が開始され、非接触ＩＣカード１は搬送ベルト３２の搬送面Ｐ上を押圧ローラ３３ａに押圧されながら目視データ処理部５０に向けて搬送される（図６の▲１▼）。
【００５３】
非接触ＩＣカード１が目視データ処理部５０に到達すると、目視データ消去用磁気ヘッド５１ｂにより、方向判別データ用記録領域２２，２３に記録される磁気データが読み出され、非接触ＩＣカード１の挿入状態が目視データを正確に処理できる処理面（表裏面）および処理方向（前後方向）であるか否かが判別される（図６の▲２▼）。
【００５４】
カード挿入方向が正常でないならば、搬送方向を逆転して、カード挿入・返却口４１ａに非接触ＩＣカード１を戻す（図６の▲２▼’）。
カード挿入方向が正常であれば、非接触ＩＣカード１をそのままＲ／Ｗ処理部４０に搬送する。非接触ＩＣカード１が位置検出用センサ３４ｄで検出されると搬送を停止し、その位置でＲ／Ｗ処理部４０と非接触ＩＣカード１間で信号を送受信して、記憶データのＲ／Ｗ処理を行う（図６の▲３▼）。
【００５５】
Ｒ／Ｗ処理部４０でのＲ／Ｗ処理終了結果はモータ部１６に送られる。モータ部１６は、非接触ＩＣカード１に対するＲ／Ｗ処理の終了したことを判断し、モータの回転方向を反転させる。これにより、搬送ベルト３２の移動方向が切り替わって、非接触ＩＣカード１は目視データ処理部５０の方向に逆転搬送される。搬送された非接触ＩＣカード１が位置検出用センサ３４ｃ，３４ｂで検出されると、目視データ消去用磁気ヘッド５１ｂおよび目視データ記録用磁気ヘッド５１ａにて目視データの表示処理が行われる（図６の▲４▼）。なお、ここでは、目視データ処理部５０は、Ｒ／Ｗ処理部４０で処理された記憶データに応じた目視データの表示処理を行うものとする。
【００５６】
目視データ表示処理終了後、非接触ＩＣカード１はカード挿入・返却口４１ａの方向に搬送される。非接触ＩＣカード１が位置検出用センサ３４ａによって検出されると、非接触ＩＣカード１がカード挿入・返却口４１ａに返却されたと判断し、搬送を停止する（図６の▲５▼）。
【００５７】
上述した本第１実施形態によれば、非接触ＩＣカード１に目視データの書き換え処理を行う場合に、カード方向判別部の機能を備え持つ目視データ消去用磁気ヘッドにより、搬送経路上の非接触ＩＣカード１の方向判別データ用記録領域の磁気データに基づいて、前記非接触ＩＣカード１の処理面（表裏面）およびその処理方向（前後方向）を判別できる。図３に示す非接触ＩＣカード１においては、目視データの表示領域は非接触ＩＣカード１の一部領域であるため、この目視データに対応する磁気データを書き換えるときには、非接触ＩＣカード１の処理面および処理方向の判別が必要となる。これに対して、目視データが非接触ＩＣカードの全面に表示される場合もあり、このときには、磁気媒体層１３の磁気データの有無を判別してカード処理面（表裏面）のみを判別すればよい。さらに、例えば、磁気媒体層１３のカード長手方向に沿った中心線からカードの一方端部までの一方領域だけに磁気データが記録され、中心線からカードの他方端部までの他方領域には磁気データが記録されていない場合には、方向判別データ処理用の磁気ヘッドを、一方領域の磁気データが検出可能な位置に設置することにより、カード処理面および処理方向を判別できる。
【００５８】
この磁気データの判別に基づいて、非接触ＩＣカード処理装置１００内に挿入・搬送された非接触ＩＣカード１が目視データ処理部５０に対して正しい搬送状態にあるか否かを判断できる。従って、目視データ処理部５０は、正しい搬送状態にあると判断された非接触ＩＣカード１に対してのみ目視データの表示処理を行うことが可能となる。これにより、目視データは常に一定方向に表示され、非接触ＩＣカード１に記録される情報データと目視データとが不一致になったり、あるいは見づらい目視データを表示したり等の問題が生じることがなく、正確で見やすい目視データを表示することができる。
【００５９】
また、同一のカード処理装置内に非接触ＩＣカードを取り込んで、非接触ＩＣへの記憶データ処理および目視データ処理を行うため、非接触ＩＣカードが複数の処理途中で抜き取られることがなく、記憶データの内容と目視データの内容との不一致が生じるおそれがない。
【００６０】
次に、本発明の第２実施形態について説明する。
図７は、本第２実施形態にかかる非接触ＩＣカード処理装置１００’の構成を示す側方断面図である。なお、第１実施形態の構成と同一の部分には同じ符号を付して説明を省略する。
【００６１】
本第２実施形態の非接触ＩＣカード処理装置１００’は、第１の実施形態の非接触ＩＣカード処理装置１について、カード回収手段としてのカード回収部８１を、カード挿入・返却口４１ａと対向する位置に配設されるカード排出・受入口４１ｂ後方に付加したものである。また、本第２実施形態では、搬送ローラ３１ｅ，３１ｆおよび押圧ローラ３３ｅ，３３ｆを付加して搬送ベルト３２を延長し、該延長された搬送ベルト３２の上方にＲ／Ｗ処理部４０が配置される構成としている。
【００６２】
カード回収部８１は、使用済みや期限切れ等の非接触ＩＣカード１を回収するためのものであり、ここでは、搬送部３０によってカード排出・受入口４１ｂまで搬送され排出された非接触ＩＣカード１が、その内部に貯留される。
【００６３】
上記構成の非接触ＩＣカード処理装置１００’では、挿入された非接触ＩＣカード１に対して記憶データのＲ／Ｗ処理が行われた後に、その非接触ＩＣカード１を返却するか、または回収するかの２つの処理が選択的に行われる。
【００６４】
具体的には、非接触ＩＣカード１がカード挿入・返却口４１ａから挿入されてからＲ／Ｗ処理部４０で記憶データのＲ／Ｗ処理が行われるまでの一連の動作（図７の▲１▼▲２▼▲２▼’▲３▼）は、返却及び回収のいずれの場合についても、第１実施形態のときの動作と同様である。
【００６５】
Ｒ／Ｗ処理部４０による記憶データのＲ／Ｗ処理が終了すると、例えば、Ｒ／Ｗ処理部４０において、非接触ＩＣカード１から読み取った記憶データを基に、その非接触ＩＣカード１を返却するか回収するかの判断が行われる。
【００６６】
記憶データの内容が使用済みや期限切れ等を示す場合には、非接触ＩＣカード１はカード排出・受入口４１ｂから排出されて、カード回収部８１内に貯められる（図７の▲３▼’）。
【００６７】
一方、Ｒ／Ｗ処理部４０で読み取られた記憶データが使用済み等を示すものでなかった場合には、第１実施形態の場合と同様にして、目視データ処理部５０で目視データの表示処理が行われた後（図７の▲４▼）、カード挿入・返却口４１ａから返却され、非接触ＩＣカード１内の記憶データが正常に更新されたこととなる（図７の▲５▼）。
【００６８】
このように、本第２実施形態によれば、カード回収部８１を設け、非接触ＩＣカード１の搬送状態を適宜制御することで、非接触ＩＣカード１の回収を行うことが可能となる。
【００６９】
次に、本発明の第３実施形態について説明する。
図８は、本第３実施形態にかかる非接触ＩＣカード処理装置１００”の構成を示す側方断面図である。なお、第１，第２実施形態の構成と同一の部分には同じ符号を付して説明を省略する。
【００７０】
本第３実施形態の非接触ＩＣカード処理装置１００”は、第２実施形態の非接触ＩＣカード処理装置１００’について、カード供給手段としてのカードホッパ８２を、例えばカード排出・受入口４１ｂの外側に付加したものである。このカードホッパ８２は、これから発行される未使用若しくはリサイクルされた非接触ＩＣカード１をカード排出・受入口４１ｂから搬送部３０に供給するためのものである。
【００７１】
上記のような構成の非接触ＩＣカード処理装置１００”では、第２実施形態の場合と同様にして、既に発行された非接触ＩＣカード１について各データ処理を行い、返却または回収することができるとともに、新たに非接触ＩＣカード１を発行することもできる。
【００７２】
例えば、非接触ＩＣカード１の発行を求める指令が外部より本非接触ＩＣカード処理装置１００”に送られると、その指令を受けて、カードホッパ８２が発行前の１枚の非接触ＩＣカード１をカード排出・受入口４１ｂから搬送部３０に送るとともに、モータ部３６が起動してカードホッパ８２から供給された非接触ＩＣカード１を装置内に取り込むように搬送ベルト３２が駆動される（図８の▲１▼）。
【００７３】
取り込まれた非接触ＩＣカード１は、搬送ベルト３２と押圧ローラの間に挟持され、位置検出用センサ３４ｃで検出されると、目視データ消去用磁気ヘッド５１ｂにより方向判別データに対応する磁気データが読み出され、非接触ＩＣカード１の挿入状態が判別される（図８の▲２▼）。
【００７４】
カード挿入方向が正常でないならば、搬送方向を逆転して、カード排出・受入口４１ｂに非接触ＩＣカード１を戻し、カード回収部８１内に回収する（図８の▲２▼’）。
【００７５】
カード挿入方向が正常であれば、非接触ＩＣカード１をそのままＲ／Ｗ処理部４０に搬送し、記憶データのＲ／Ｗ処理を行う（図８の▲３▼）。
Ｒ／Ｗ処理部４０による記憶データのＲ／Ｗ処理が終了すると、例えば、Ｒ／Ｗ処理部４０において、非接触ＩＣカード１から読み取った記憶データを基に、その非接触ＩＣカード１を発行するか回収するかの判断が行われる。
【００７６】
記憶データの内容が使用不可等を示す場合には、非接触ＩＣカード１はカード排出・受入口４１ｂから排出されて、カード回収部８１内に貯められる（図８の▲６▼）。
【００７７】
一方、Ｒ／Ｗ処理部４０で読み取られた記憶データが使用不可等を示すものでなかった場合には、第２実施形態の場合と同様にして、目視データ処理部５０で目視データの表示処理が行われた後（図８の▲４▼）、カード挿入・返却口４１ａから発行される（図８の▲５▼）。
【００７８】
このように第３の実施形態によれば、カードホッパ８２を設け、発行要求に応じて発行前の非接触ＩＣカード１を自動的に供給しその搬送状態を適宜制御することで、記録データ処理が行われた非接触ＩＣカード１の自動発行を実現できる。これは、多数枚の非接触ＩＣカードを発行する場合などに特に有効である。
【００７９】
なお、上記第３実施形態では、カード回収部８１及びカードホッパ８２をそれぞれ設ける構成としたが、カード回収部８１及びカードホッパ８２を一体化して、回収された非接触ＩＣカード１が自動的に発行用のカードとして利用されるようにしてもよい。また、非接触ＩＣカード１の回収を行う必要がない場合には、カード回収部８１を設けない構成としても構わない。
【００８０】
また、上述した第１〜第３実施形態では、Ｒ／Ｗ処理部４０をカード排出・受入口４１ｂ側に配置し、目視データ処理部５０をカード挿入・返却口４１ａ側に配置するようにしたが、本発明はこれに限られるものではなく、それぞれの配置に応じて非接触ＩＣカードの搬送方向を制御してやれば、各処理部の配置を適宜に変更できることは明らかである。
【００８１】
また、上述した第１〜第３実施形態では、目視データ処理部５０がカード方向判別部の機能を兼用するものとして説明したが、このように、目視データ処理部５０と方向判別データ処理部の機能とを兼用することで、本非接触ＩＣカード処理装置は、既存の磁気カード処理装置を利用して構成することが容易に可能となる。
【００８３】
また、上述した本第１〜第３実施形態にかかる非接触ＩＣカード処理装置では、１つの処理装置内で、磁気データによる目視データの表示処理および情報データ処理、ならびに非接触ＩＣに対する記憶データ処理を行うので、図９に示すように、目視データの表示機能を備える非接触ＩＣカード１および目視データの表示機能を備える磁気カード５０１のどちらを挿入しても、目視データの表示処理を行うとともに本来の記憶データ処理および情報データ処理を行うことができる。
【００８４】
【発明の効果】
以上説明したように、本発明の非接触ＩＣカードは、磁気媒体層に基づいて、非接触ＩＣカードの表裏面およびその方向を簡易に区別することができる。これにより、処理装置において非接触ＩＣカードの挿入状態を判別でき、目視データの正確な表示処理が可能となる。
【００８５】
本発明の非接触ＩＣカード処理装置は、磁気媒体層に基づいて、非接触ＩＣカードの表裏面およびその方向を判別して正しい状態で搬送されているかを判断するカード方向判別手段を、目視データ処理手段が兼用することにより、非接触ＩＣカードの表示部に対する磁気式の目視データの表示処理を正確に行うことが可能となると共に、従来の非接触ＩＣカード処理装置を利用して本発明にかかる装置を構成できるので、コスト削減を図ることができる。
【００８７】
さらに、カード供給手段やカード回収手段を設けたことによって、非接触ＩＣカードの発行処理や使用できなくなった非接触ＩＣカードの回収処理を自動的に行うことが可能となる。
【図面の簡単な説明】
【図１】本発明にかかる非接触ＩＣカードの一実施形態の断面図である。
【図２】本実施形態の非接触ＩＣカードの分解斜視図である。
【図３】本実施形態の非接触ＩＣカードにおける各データ用記録領域の一例を示す図である。
【図４】本発明にかかる非接触ＩＣカード処理装置の第１実施形態の構成を示す側方断面図である。
【図５】本第１実施形態の情報データ用磁気ヘッドの位置を示す側方断面図である。
【図６】本第１実施形態のカード処理状態を示す図である。
【図７】本発明の第２実施形態の要部構成及びカード処理状態を示す図である。
【図８】本発明の第３実施形態の要部構成及びカード処理状態を示す図である。
【図９】本発明にかかる非接触ＩＣカード処理装置の使用状態を示す図である。
【図１０】従来のかざし型リーダライタの概要を説明する図である。
【図１１】従来の非接触ＩＣカード処理装置および磁気カード処理装置を含むシステムの一例を示す図である。
【符号の説明】
１・・非接触ＩＣカード
２・・表面印刷層
３・・透明フィルム
４，６・・接着剤層
５・・ＩＣカードシート
７，９・・磁気層
８・・ベースフィルム
１０・・保護膜
１１・・磁性粒子
１２・・窓部
１３・・磁気媒体層
１４・・印刷層
１５・・穴部
１６・・アンテナ
１７・・空間部
２０・・目視データ用記録領域
２１・・情報データ用記録領域
２２，２３・・方向判別データ用記録領域
３１ａ〜３１ｆ・・搬送ローラ
３２・・搬送ベルト
３３ａ〜３３ｆ・・押圧ローラ
３４ａ〜３４ｄ・・位置検出用センサ
３６・・モータ部
４０・・Ｒ／Ｗ処理部
４１ａ・・カード挿入・返却口
４１ｂ・・カード排出・受入口
５０・・目視データ処理部
５１ａ・・目視データ記録用磁気ヘッド
５１ｂ・・目視データ消去用磁気ヘッド
７０・・情報データ処理部
７１ａ・・情報データ記録用磁気ヘッド
７１ｂ・・情報データ消去用磁気ヘッド
８１・・カード回収部
８２・・カードホッパ
１００，１００’，１００”・・非接触ＩＣカード処理装置
【図１】
0003691981.tif 000002
【図２】
0003691981.tif 000003
【図３】
0003691981.tif 000004
【図４】
0003691981.tif 000005
【図５】
0003691981.tif 000006
【図６】
0003691981.tif 000007
【図７】
0003691981.tif 000008
【図８】
0003691981.tif 000009
【図９】
0003691981.tif 000010
【図１０】
0003691981.tif 000011
【図１１】
0003691981.tif 000012